(57)【要約】【課題】ファインダケース内に複数の空間が存在する場合においても、開口部の数を増やすことなく、開口部の大きさを必要最小限に抑える。【解決手段】ファインダ用可動レンズを保持するレンズ保持部材３と、レンズ保持部材を光軸方向に移動させて視度調節を行う視度調節機構と、レンズ保持部材を光軸方向に移動可能に収納するファインダケース４とを有し、可動レンズの前後に複数の空間を具備するファインダ装置において、ファインダケースに、前記空間に入った埃を取り除くための一つの開口部７を設けている。【選択図】図６
2007304328.tif 000002
【特許請求の範囲】
【請求項１】
ファインダ用可動レンズを保持するレンズ保持部材と、
前記レンズ保持部材を光軸方向に移動させて視度調節を行う視度調節機構と、
前記レンズ保持部材を光軸方向に移動可能に収納するファインダケースとを有し、前記可動レンズの前後に複数の空間を具備するファインダ装置において、
前記ファインダケースに、前記空間に入った埃を取り除くための一つの開口部を設けたことを特徴とするファインダ装置。
【請求項２】
前記開口部は、前記レンズ保持部材の移動可能量が前記レンズ保持部材の光軸方向の幅よりも掃除のために必要な設定値以上大きい場合、前記開口部の光軸方向の両端が、前記レンズ保持部材を最も接眼側に移動させた場合の前記レンズ保持部材の非接眼側端面から、前記レンズ保持部材を最も非接眼側に移動させた場合の前記レンズ保持部材の接眼側端面までの間で、前記設定値分の幅を確保して位置するような大きさを持つことを特徴とする請求項１に記載のファインダ装置。
【請求項３】
前記開口部は、前記レンズ保持部材の光軸方向の移動可能量が前記レンズ保持部材の光軸方向の幅よりも掃除のために必要な設定値以下の範囲で大きい場合、前記開口部の光軸方向に沿った接眼側の端が、前記レンズ保持部材を最も非接眼側に移動させた場合の前記レンズ保持部材の接眼側端面よりも前記設定値分接眼側に位置し、また、前記開口部の光軸方向に沿った非接眼側の端が、前記レンズ保持部材を最も接眼側に移動させた場合の前記レンズ保持部材の非接眼側端面よりも前記設定値分非接眼側に位置するような大きさを持つことを特徴とする請求項１に記載のファインダ装置。
【請求項４】
前記開口部は、前記レンズ保持部材の光軸方向の移動可能量が前記レンズ保持部材の光軸方向の幅よりも小さい場合、前記開口部の光軸方向に沿った接眼側の端が、前記レンズ保持部材を最も非接眼側に移動させた場合の前記レンズ保持部材の接眼側端面よりも掃除のために必要な設定値分接眼側に位置し、また、前記開口部の光軸方向に沿った非接眼側の端が、前記レンズ保持部材を最も接眼側に移動させた場合の前記レンズ保持部材の非接眼側端面よりも前記設定値分非接眼側に位置するような大きさを持つことを特徴とする請求項１に記載のファインダ装置。
【請求項５】
前記開口部の前記光軸と垂直な方向の大きさは、前記可動レンズの直径の寸法に応じて決定されることを特徴とする請求項１ないし４のいずれかに記載のファインダ装置。
【請求項６】
前記開口部の前記光軸と垂直な方向の大きさは、前記可動レンズの直径の寸法と同程度であることを特徴とする請求項５に記載のファインダ装置。
【請求項７】
請求項１ないし６のいずれかに記載のファインダ装置を有することを特徴とする撮像装置。
【発明の詳細な説明】
【技術分野】
【０００１】
本発明は、ファインダ装置および該ファインダ装置に具備される撮像装置に関する。
【背景技術】
【０００２】
従来より、デジタルビデオカメラなどの撮像装置のファインダ装置には、少なくとも一枚の可動レンズと、それを動作させる為の視度調節機構が備わっている。これにより、使用者は個々の視力に依らず、ファインダのピントを合わせることができるようになっている。また、従来のデジタルビデオカメラのファインダ装置には、内部に埃などが入り、レンズの光学性能が悪化した時のために、内部の埃を取り除く為の機構が設けられているものがある。例えば、特許文献１では、撮影光学系の移動により筐体内で起きた空気の流れが、ダクトを通じてファインダ装置内部に流れ込み、埃を吹き飛ばすことができるような機構が開示されている。
【特許文献１】特開２００１−０５６４９９号公報
【発明の開示】
【発明が解決しようとする課題】
【０００３】
上記特許文献１においては、機構が複雑であり、コストアップや組み立て性の悪化を招くこととなる。そこで、もっと単純にするために、ファインダケースに掃除用の穴を設け、通常は蓋をして埃が入らないようにしたファインダ装置がある。このファインダ装置では、万が一埃が入った場合には、その蓋を取れば、その空間と外部とをつないだ掃除穴によって、埃を外側から簡単に取り除くことができるようにしている。
【０００４】
しかしながら、この種のファインダ装置は、例えばレンズの前後に配置された別の部材によって、レンズの前後それぞれに独立した密閉空間が存在するような場合、両方の密閉空間の埃を取り除く為には、２箇所に掃除穴を設ける必要がある。そのため、ファインダケースの強度が弱くなってしまう、それぞれの掃除穴用の蓋部材が必要となってしまう（部品点数が増えてしまう）、といった問題があった。
【０００５】
（発明の目的）
本発明の目的は、ファインダケース内に複数の空間が存在する場合においても、開口部の数を増やすことなく、開口部の大きさを必要最小限に抑えることのできるファインダ装置および撮像装置を提供しようとするものである。
【課題を解決するための手段】
【０００６】
上記目的を達成するために、本発明は、ファインダ用可動レンズを保持するレンズ保持部材と、前記レンズ保持部材を光軸方向に移動させて視度調節を行う視度調節機構と、前記レンズ保持部材を光軸方向に移動可能に収納するファインダケースとを有し、前記可動レンズの前後に複数の空間を具備するファインダ装置において、前記ファインダケースに、前記空間に入った埃を取り除くための一つの開口部を設けたファインダ装置とするものである。
【０００７】
同じく上記目的を達成するために、本発明は、本発明の上記ファインダ装置を有する撮像装置とするものである。
【発明の効果】
【０００８】
本発明によれば、ファインダケース内に複数の空間が存在する場合においても、開口部の数を増やすことなく、開口部の大きさを必要最小限に抑えることができるファインダ装置または撮像装置を提供できるものである。
【発明を実施するための最良の形態】
【０００９】
本発明を実施するための最良の形態は、以下の実施例に示す通りである。
【実施例】
【００１０】
図１は２枚のレンズで構成された本発明の実施例に係わるデジタルビデオカメラのファインダ装置の内部構成を示す断面図である。以下、説明の簡略化の為、ファインダ装置の光軸方向に沿って、接眼側を前方、非接眼側を後方とする。また、ファインダ装置の光軸方向に沿って、レンズの接眼側の面を前面、非接眼側の面を後面とする。
【００１１】
図１において、ファインダ装置１には、固定レンズ２ａと可動レンズ２ｂとを有する。前方の固定レンズ２ａはファインダケース４内に固定され、後方の可動レンズ２ｂはレンズホルダー３に保持されている。レンズホルダー３の係合部３ａにおいて係合している視度調節レバー５を作動させることによって、可動レンズ２ｂをレンズホルダー３とともに前後（光軸方向）に移動させることが可能である。可動レンズ２ｂの更に後方には、撮影中の画像もしくは撮影後の再生画像を表示させる為の表示パネル６がファインダケース４内に支持されている。
【００１２】
上記固定レンズ２ａから可動レンズ２ｂまでの間、及び、可動レンズ２ｂから表示パネル６までの間はほぼ密閉状態となっており、外から埃が進入しづらい構造になっている。
【００１３】
図２は、図１のファインダ装置１の外観図である。ファインダケース４には、外部と内部をつなぐ為の開口部であるところの掃除穴７が設けられている。そのため、万が一内部に埃が進入した場合でも、掃除穴７を塞いでいる不図示の蓋部材を取り除き、この掃除穴７からエアーを吹き付けることができる。もしくは、掃除穴７から綿棒などで埃を拭き取ることができる。これにより、ファインダ装置１を分解することなく、簡単にその埃を取り除くことができ、光学性能が悪化するのを防ぐことができるようになっている。なお、上記から明らかなように通常は、外から埃が進入しないように、掃除穴７は蓋部材（図示せず）によって塞がれている。
【００１４】
また、掃除穴７を必要以上に大きくしてしまうと、ファインダケース４の強度が弱くなってしまう。そのため、ファインダ装置１の内部に密閉された空間が１箇所存在する場合には、その空間と外部をつなぐ為の掃除穴７の前後方向の幅は掃除のために必要な設定値分、すなわち、何らかの掃除手段で内部の掃除を行うのに最低限必要な幅にしてやることが望ましい。本実施例では、ファインダケース４内の埃は外部からエアーを吹き付けて吹き飛ばすことを想定している。そのため、外部からエアーが適量入り込むだけの大きさとして、３．５ｍｍを設定値としている。
【００１５】
また、前後方向に対する垂直方向の幅（高さ）は、レンズ球面全体を掃除することができることが望ましい。よって、可動レンズ２ｂの直径、もしくは、固定レンズ２ａから可動レンズ２ｂまでの間において、例えば、固定レンズ２ａの直径の方が可動レンズ２ｂの直径よりも大きい場合は固定レンズ２ａの直径と同程度の長さに設定している。
【００１６】
次に、本実施例のように、密閉された空間が２箇所存在する場合の掃除穴７の大きさの設定の仕方について説明する。
【００１７】
まず、前後方向に対する垂直方向の幅は、上記と同様にレンズの直径と同程度の長さに設定するのが望ましい。前後方向の幅に関しては、レンズホルダー３が可動であることを考慮し、レンズホルダー３の移動可能量とレンズホルダー３本体の前後方向の幅との関係に応じて、以下のように設定する。
【００１８】
すなわち、図３のように、レンズホルダー３の移動可能量Ａが、レンズホルダー３本体の前後方向の幅Ｂよりも設定値Ｃ以上大きいとする。この場合、掃除穴７の光軸方向の両端が、レンズホルダー３を最も前方に移動させた場合の該レンズホルダー３の後面から、レンズホルダー３を最も後方に移動させた場合の該レンズホルダー３の前面までの間で、設定値分の幅を確保して位置するように、掃除穴７の幅（大きさ）を設定する。
【００１９】
また、図４のように、レンズホルダー３の移動可能量Ａが、レンズホルダー３本体の前後方向の幅Ｂよりも設定値Ｃ以下の範囲で大きいとする。もしくは、図５のように、レンズホルダー３の前後方向の移動可能量Ａが、レンズホルダー３本体の前後方向の幅Ｂよりも小さいとする。これらの場合は、掃除穴７の光軸方向の大きさ、つまり両端が以下のように設定される。つまり、掃除穴７の前側の端が、レンズホルダー３を最も後方に移動させた場合の該レンズホルダー３の前面よりも設定値Ｃ分前方に位置するように設定する。また、掃除穴７の後側の端が、レンズホルダー３を最も前方に移動させた場合の該レンズホルダー３の後面よりも設定値Ｃ分後方に位置するように設定する。
【００２０】
これにより、可動レンズ２ｂの前方の空間を掃除する際は、視度調節レバー５を作動させてレンズホルダー３を後方に移動させると、図６に示すように、可動レンズ２ｂの前方の空間と外部との間に、前後方向に所定値Ｃの幅を持った掃除穴７を作り出すことができる。また、可動レンズ２ｂの後方の空間を掃除する際は、視度調節レバー５を作動させてレンズホルダー３を前方に移動させると、図７に示すように、可動レンズ２ｂの後方の空間と外部との間に、前後方向に所定値Ｃの幅を持った掃除穴７を作り出すことができる。
【００２１】
つまり、ファインダケース４に設けられた一つの掃除穴７によって、２箇所の密閉された空間を掃除することができ、且つ、掃除穴７の大きさを必要最小限に抑えることができる。よって、ファインダケース４の強度が弱くなってしまう、蓋をする為の部品点数が増えてしまう、といった問題を防ぐことができる。
【図面の簡単な説明】
【００２２】
【図１】本発明の一実施例におけるデジタルビデオカメラのファインダ装置の内部構成を示す断面図である。
【図２】本発明の一実施例におけるデジタルビデオカメラのファインダ装置の側面図である。
【図３】本発明の一実施例においてレンズホルダーの光軸上の移動可能量がレンズホルダーの光軸方向の幅よりも所定値以上大きい場合を示す図である。
【図４】本発明の一実施例においてレンズホルダーの移動可能量が、レンズホルダー本体の前後方向の幅よりも所定値以下の範囲で大きい場合を示す図である。
【図５】本発明の実施例において、レンズホルダーの移動可能量がレンズホルダーの前後方向の幅よりも小さい場合を示す図である。
【図６】本発明の一実施例において視度調節レバーを動作させて掃除穴を通して可動レンズの前方の空間と外部をつなげた状態を示す図である。
【図７】本発明の一実施例において視度調節レバーを動作させて掃除穴を通して可動レンズの後方の空間と外部をつなげた状態を示す図である。
【符号の説明】
【００２３】
１          ファインダ装置
２ａ        固定レンズ
２ｂ        可動レンズ
３          レンズホルダー（レンズ保持部材）
３ａ        係合部
４          ファインダケース
５          視度調節レバー（視度調節機構）
７          掃除穴（開口部）
【図１】
2007304328.tif 000003
【図２】
2007304328.tif 000004
【図３】
2007304328.tif 000005
【図４】
2007304328.tif 000006
【図５】
2007304328.tif 000007
【図６】
2007304328.tif 000008
【図７】
2007304328.tif 000009